(57)【要約】【課題】  加熱源の温度が作動温度まで上昇したときに，加熱源による加熱を速やかに停止させることができるとともに，消費電力が低減された画像形成装置を提供すること。【解決手段】  本発明に係る画像形成装置は，定着処理時に定着部材を加熱する定着加熱部と，通電遮断部と，感熱加熱部と，温度指標値出力部と，感熱加熱制御部とを有する。通電遮断部は，定着部材に向けて設けられている感熱部を備え，感熱部の温度が作動温度以上であるときに定着加熱部への電力の供給を遮断するものである。感熱加熱部は，感熱部を作動温度未満の温度で加熱するものである。温度指標値出力部は，感熱部の温度指標値を出力するものである。そして，感熱加熱制御部は，温度指標値が加熱実行閾値未満である場合には，感熱加熱部に加熱を行わせ，温度指標値が加熱実行閾値以上である場合には，感熱加熱部に加熱を行わせないものである。【選択図】図５
2016197166.tif 000002
【特許請求の範囲】
【請求項１】
トナー像を形成するとともに，形成したトナー像をシート上に転写する画像形成部と，
前記画像形成部によりトナー像が転写されたシートを，一対の定着部材の定着ニップに通すことで，トナー像をシート上に定着する定着処理を行う定着装置とを有する画像形成装置において，
前記定着処理時には，電力の供給を受けて前記一対の定着部材の少なくとも一方を加熱する定着加熱部と，
前記定着加熱部により加熱を受ける前記定着部材に向けて設けられている感熱部を備えるとともに，前記感熱部の温度が予め定めた作動温度以上であるときに前記定着加熱部への電力の供給を遮断する通電遮断部と，
前記感熱部までの距離が前記定着加熱部よりも近い位置に設けられ，前記感熱部を前記作動温度未満の温度で加熱する感熱加熱部と，
前記感熱部の温度を指標する温度指標値を出力する温度指標値出力部と，
前記感熱加熱部による加熱を制御する感熱加熱制御部とを有し，
前記感熱加熱制御部は，
前記温度指標値出力部より出力された前記温度指標値が，予め定めた加熱実行閾値未満である場合には，前記感熱加熱部に加熱を行わせ，
前記温度指標値出力部より出力された前記温度指標値が，前記加熱実行閾値以上である場合には，前記感熱加熱部に加熱を行わせないものであることを特徴とする画像形成装置。
【請求項２】
請求項１に記載の画像形成装置において，
前記加熱実行閾値は，前記感熱加熱部の加熱時における上限温度未満の温度であることを特徴とする画像形成装置。
【請求項３】
請求項１または請求項２に記載の画像形成装置において，
前記温度指標値出力部は，
前記定着加熱部が加熱を開始する前に，前記温度指標値を出力するものであり，
前記感熱加熱制御部は，
前記感熱加熱部に加熱を行わせるときには，前記定着加熱部が加熱を開始する以前に，前記感熱加熱部に加熱を開始させるものであることを特徴とする画像形成装置。
【請求項４】
請求項３に記載の画像形成装置において，
前記温度指標値出力部は，
前記感熱加熱部が加熱を開始した後にも，前記温度指標値を出力するものであり，
前記感熱加熱制御部は，
前記感熱加熱部が加熱を開始した後に前記温度指標値出力部より出力された前記温度指標値が，前記加熱実行閾値以上の温度に予め定めた加熱終了閾値以上であるときには，前記感熱加熱部に加熱を終了させるものであることを特徴とする画像形成装置。
【請求項５】
請求項１から請求項４までのいずれかに記載の画像形成装置において，
前記温度指標値出力部は，
前記定着加熱部により加熱を受ける前記定着部材の温度を検出する温度センサーを有し，
前記温度センサーが検出した温度を，前記温度指標値として出力するものであることを特徴とする画像形成装置。
【請求項６】
請求項１から請求項４までのいずれかに記載の画像形成装置において，
前記温度指標値出力部は，
前記感熱部の温度を検出する温度センサーを有し，
前記温度センサーが検出した温度を，前記温度指標値として出力するものであることを特徴とする画像形成装置。
【請求項７】
請求項１から請求項４までのいずれかに記載の画像形成装置において，
前記感熱加熱部は，温度により抵抗値が異なるものであり，
前記温度指標値出力部は，
前記感熱加熱部に電流が流れたときに前記感熱加熱部の抵抗値を指標する抵抗指標値を検出し，検出した前記抵抗指標値を出力する抵抗出力部と，
前記感熱加熱部の温度と前記抵抗指標値との関係を記憶する温度抵抗記憶部とを有し，
前記感熱加熱部に電流を流すとともに，その電流を流した期間について前記抵抗出力部が出力する前記抵抗指標値により前記温度抵抗記憶部を参照することで，前記感熱加熱部の温度を定め，
定めた前記感熱加熱部の温度を，前記温度指標値として出力するものであることを特徴とする画像形成装置。
【請求項８】
請求項３に記載の画像形成装置において，
前記温度指標値出力部は，
前回の前記定着処理にて前記定着加熱部による加熱がなされていた時間である前回加熱時間を出力する前回加熱時間出力部と，
前回の前記定着処理が終了されてから，今回の前記定着処理が開始されるまでの時間である加熱休止時間を出力する加熱休止時間出力部とを有し，
前記前回加熱時間が予め定めた第１の閾値時間よりも長く，かつ，前記加熱休止時間が予め定めた第２の閾値時間よりも短い場合には，前記温度指標値として前記加熱実行閾値以上の値を出力し，
前記温度指標値として前記加熱実行閾値以上の値を出力しない場合には，前記温度指標値として前記加熱実行閾値未満の値を出力するものであることを特徴とする画像形成装置。
【請求項９】
請求項３に記載の画像形成装置において，
前記温度指標値出力部は，
前回の前記定着処理にて前記感熱加熱部による加熱がなされていた時間である前回加熱時間を出力する前回加熱時間出力部と，
前回の前記定着処理が終了されてから，今回の前記定着処理が開始されるまでの時間である加熱休止時間を出力する加熱休止時間出力部とを有し，
前記前回加熱時間が予め定めた第１の閾値時間よりも長く，かつ，前記加熱休止時間が予め定めた第２の閾値時間よりも短い場合には，前記温度指標値として前記加熱実行閾値以上の値を出力し，
前記温度指標値として前記加熱実行閾値以上の値を出力しない場合には，前記温度指標値として前記加熱実行閾値未満の値を出力するものであることを特徴とする画像形成装置。
【発明の詳細な説明】
【技術分野】
【０００１】
本発明は，画像形成装置に関する。さらに詳細には，シート上のトナー像を加熱しつつ加圧することにより定着させる画像形成装置に関する。
【背景技術】
【０００２】
従来より，複写機やプリンター，ファクシミリ，またはこれらの機能を複合的に備える複合機等の画像形成装置では，シート上に転写されたトナー像を定着装置によって定着させることにより，シートに画像を形成している。定着装置は，一対の定着部材を圧接することにより形成される定着ニップにシートを通過させつつ，その通過中のシートを加熱しつつ加圧することにより定着処理を行う。このため，定着装置には，定着ニップを定着処理を行う定着温度まで加熱するための加熱源が設けられている。
【０００３】
また，定着装置には，加熱源による加熱温度が，定着処理を行う定着処理温度を超えて過度に上昇してしまうことを抑制するため，通電遮断部が設けられているものがある。すなわち，通電遮断部は，加熱源による過熱が生じ，通電遮断部の感熱部が作動温度以上まで上昇したときに，加熱源への電力供給を遮断する。これにより，加熱源の温度が過度に上昇しないようになされている。また，通電遮断部は，加熱源による過熱が生じたときには，できるだけ早期に加熱源への電力供給を停止できることが好ましい。
【０００４】
例えば，特許文献１には，通電遮断部の環境温度に応じて，通電遮断部と加熱源により加熱される定着ローラーとの距離を異なるものとする技術が開示されている。すなわち，特許文献１には，通電遮断部の環境温度が高いほど，通電遮断部を定着ローラーから遠ざける技術が記載されている。これにより，定着ローラーの温度が十分に上昇していない状態であっても，加熱源による過熱が生じたときには，通電遮断部によって速やかに加熱源への電力の供給を停止させることができるとされている。
【先行技術文献】
【特許文献】
【０００５】
【特許文献１】特開２００８−０７６９１２号公報
【発明の概要】
【発明が解決しようとする課題】
【０００６】
ところで，近年，加熱源の加熱による温度上昇率は，より高いものとなっている。ウォームアップ時間や，定着部材を定着処理温度まで上昇させる時間などの短縮を図るためである。これに伴い，加熱源による過熱が生じたときには，加熱源による加熱を，より早期に停止させることが必要になっている。
【０００７】
しかしながら，通電遮断部の温度上昇の程度は，加熱源よりも緩やかなものとなる。通電遮断部の温度上昇は，加熱源から定着部材へ熱が移動し，さらに定着部材から通電遮断部へ熱が移動する時間だけ，加熱源の温度上昇よりも遅れてしまうからである。また，上記の特許文献１のような技術では，通電遮断部と定着ローラーとの間に隙間を設けている。これにより，定着ローラーから通電遮断部へ熱が移動する時間は長くなってしまいがちである。このため，加熱源の温度が作動温度に到達してから，通電遮断部の温度が作動温度に到達するまでの時間を短縮することは，容易ではない。また，上記の特許文献１のような技術では，通電遮断部を移動させるため，消費電力が多くなってしまうという問題があった。
【０００８】
本発明は，前記した従来の技術が有する問題点の解決を目的としてなされたものである。すなわちその課題とするところは，加熱源の温度が作動温度まで上昇したときに，加熱源による加熱を速やかに停止させることができるとともに，消費電力が低減された画像形成装置を提供することである。
【課題を解決するための手段】
【０００９】
この課題の解決を目的としてなされた本発明の画像形成装置は，トナー像を形成するとともに，形成したトナー像をシート上に転写する画像形成部と，画像形成部によりトナー像が転写されたシートを，一対の定着部材の定着ニップに通すことで，トナー像をシート上に定着する定着処理を行う定着装置とを有する画像形成装置であって，定着処理時には，電力の供給を受けて一対の定着部材の少なくとも一方を加熱する定着加熱部と，定着加熱部により加熱を受ける定着部材に向けて設けられている感熱部を備えるとともに，感熱部の温度が予め定めた作動温度以上であるときに定着加熱部への電力の供給を遮断する通電遮断部と，感熱部までの距離が定着加熱部よりも近い位置に設けられ，感熱部を作動温度未満の温度で加熱する感熱加熱部と，感熱部の温度を指標する温度指標値を出力する温度指標値出力部と，感熱加熱部による加熱を制御する感熱加熱制御部とを有し，感熱加熱制御部は，温度指標値出力部より出力された温度指標値が，予め定めた加熱実行閾値未満である場合には，感熱加熱部に加熱を行わせ，温度指標値出力部より出力された温度指標値が，加熱実行閾値以上である場合には，感熱加熱部に加熱を行わせないものであることを特徴とする画像形成装置である。
【００１０】
本発明の画像形成装置の感熱加熱制御部は，感熱部の温度が低い場合には感熱加熱部に加熱を行わせる。感熱加熱部により加熱されることにより，その間の感熱部の温度上昇率を高くすることができる。これにより，感熱部の温度が低い場合であっても，定着加熱部の温度が作動温度まで上昇したときに，定着加熱部による加熱を速やかに停止させることができる。一方，感熱部の温度が高い場合には，感熱加熱部による加熱を行わないことにより，消費電力を低減することができる。これにより，定着加熱部の温度が作動温度まで上昇したときに，定着加熱部による加熱を速やかに停止させることができるとともに，消費電力が低減されている。
【００１１】
また，上記に記載の画像形成装置において，加熱実行閾値は，感熱加熱部の加熱時における上限温度未満の温度であることが好ましい。感熱部の温度が感熱加熱部の加熱時の上限温度以上である場合には，感熱加熱部により加熱を行ったとしても，それほど感熱部の温度上昇率を高めることができない。そして，感熱加熱部による加熱を行わないことにより，消費電力を低減することができるからである。
【００１２】
また，上記に記載の画像形成装置において，温度指標値出力部は，定着加熱部が加熱を開始する前に，温度指標値を出力するものであり，感熱加熱制御部は，感熱加熱部に加熱を行わせるときには，定着加熱部が加熱を開始する以前に，感熱加熱部に加熱を開始させるものであることが好ましい。加熱を開始した定着加熱部には，過熱が生じるおそれがあるからである。
【００１３】
また，上記に記載の画像形成装置において，温度指標値出力部は，感熱加熱部が加熱を開始した後にも，温度指標値を出力するものであり，感熱加熱制御部は，感熱加熱部が加熱を開始した後に温度指標値出力部より出力された温度指標値が，加熱実行閾値以上の温度に予め定めた加熱終了閾値以上であるときには，感熱加熱部に加熱を終了させるものであることが好ましい。感熱部の温度が高くなった以降においては，感熱加熱部により加熱を行ったとしても，それほど感熱部の温度上昇率を高めることができない。そして，感熱加熱部による加熱を終了させることにより，消費電力を低減することができるからである。
【００１４】
また，上記に記載の画像形成装置において，温度指標値出力部は，定着加熱部により加熱を受ける定着部材の温度を検出する温度センサーを有し，温度センサーが検出した温度を，温度指標値として出力するものであることが好ましい。定着加熱部により加熱を受ける定着部材の温度を検出する必要がある場合には，その温度センサーを共用することができるからである。
【００１５】
また，上記に記載の画像形成装置において，温度指標値出力部は，感熱部の温度を検出する温度センサーを有し，温度センサーが検出した温度を，温度指標値として出力するものであることが好ましい。感熱部の正確な温度を検出することができるからである。
【００１６】
また，上記に記載の画像形成装置において，感熱加熱部は，温度により抵抗値が異なるものであり，温度指標値出力部は，感熱加熱部に電流が流れたときに感熱加熱部の抵抗値を指標する抵抗指標値を検出し，検出した抵抗指標値を出力する抵抗出力部と，感熱加熱部の温度と抵抗指標値との関係を記憶する温度抵抗記憶部とを有し，感熱加熱部に電流を流すとともに，その電流を流した期間について抵抗出力部が出力する抵抗指標値により温度抵抗記憶部を参照することで，感熱加熱部の温度を定め，定めた感熱加熱部の温度を，温度指標値として出力するものであることが好ましい。感熱加熱部を，感熱部の温度の検出に用いることにより，感熱部の温度の検出のために温度センサーを設ける必要がないからである。
【００１７】
また，上記に記載の画像形成装置において，温度指標値出力部は，前回の定着処理にて定着加熱部による加熱がなされていた時間である前回加熱時間を出力する前回加熱時間出力部と，前回の定着処理が終了されてから，今回の定着処理が開始されるまでの時間である加熱休止時間を出力する加熱休止時間出力部とを有し，前回加熱時間が予め定めた第１の閾値時間よりも長く，かつ，加熱休止時間が予め定めた第２の閾値時間よりも短い場合には，温度指標値として加熱実行閾値以上の値を出力し，温度指標値として加熱実行閾値以上の値を出力しない場合には，温度指標値として加熱実行閾値未満の値を出力するものであってもよい。
【００１８】
また，上記に記載の画像形成装置において，温度指標値出力部は，前回の定着処理にて感熱加熱部による加熱がなされていた時間である前回加熱時間を出力する前回加熱時間出力部と，前回の定着処理が終了されてから，今回の定着処理が開始されるまでの時間である加熱休止時間を出力する加熱休止時間出力部とを有し，前回加熱時間が予め定めた第１の閾値時間よりも長く，かつ，加熱休止時間が予め定めた第２の閾値時間よりも短い場合には，温度指標値として加熱実行閾値以上の値を出力し，温度指標値として加熱実行閾値以上の値を出力しない場合には，温度指標値として加熱実行閾値未満の値を出力するものであってもよい。
【発明の効果】
【００１９】
本発明によれば，加熱源の温度が作動温度まで上昇したときに，加熱源による加熱を速やかに停止させることができるとともに，消費電力が低減された画像形成装置が提供されている。
【図面の簡単な説明】
【００２０】
【図１】本形態に係る画像形成装置の概略構成図である。
【図２】本形態に係る画像形成装置の制御構成の概略図である。
【図３】本形態に係る定着装置の概略構成図である。
【図４】本形態に係る定着装置の制御構成の概略図である。
【図５】バイメタルヒーターによる加熱を行うか否かの判定を行う手順を示すフローチャートである。
【発明を実施するための形態】
【００２１】
以下，本発明を具体化した実施の形態について，添付図面を参照しつつ詳細に説明する。本形態は，電子写真方式のプリンターにおいて本発明を具体化したものである。
【００２２】
図１に，本形態の画像形成装置１の概略構成を示す。画像形成装置１は，中間転写ベルト３０を有する，いわゆるタンデム方式のカラープリンターである。中間転写ベルト３０は導電性を有する無端状のベルト部材であり，その図１中両端部がローラー３１，３２によって支持されている。画像形成時には，図１中右側のローラー３１が反時計回りに回転駆動される。これにより，中間転写ベルト３０および図１中左側のローラー３２はそれぞれ，図中に矢印で示す方向に従動回転する。
【００２３】
中間転写ベルト３０のうち，図１中右側のローラー３１に支持されている部分の外周面には，２次転写ローラー４０が設けられている。２次転写ローラー４０は，中間転写ベルト３０へ向けて軸と垂直の方向（図１中左向き）に圧接されている。中間転写ベルト３０と２次転写ローラー４０とが接触している部分には，中間転写ベルト３０上のトナー像を用紙Ｐに転写させる転写ニップＮ１が形成されている。２次転写ローラー４０は，画像形成時には，回転する中間転写ベルト３０への圧接による摩擦力によって従動回転する。
【００２４】
また，中間転写ベルト３０のうち，図１中左側のローラー３２に支持されている部分の外周面には，ベルトクリーナー４１が設けられている。ベルトクリーナー４１は中間転写ベルト３０の外周面に圧接されている。また，その圧接によって接触している部分により，転写ニップＮ１において用紙Ｐに転写されなかった転写残トナーなどを回収する回収領域４２が形成されている。
【００２５】
中間転写ベルト３０の図１中下部には左から右に向かって順に，イエロー（Ｙ），マゼンタ（Ｍ），シアン（Ｃ），ブラック（Ｋ）の各色の画像形成部１０Ｙ，１０Ｍ，１０Ｃ，１０Ｋが配置されている。画像形成部１０Ｙ，１０Ｍ，１０Ｃ，１０Ｋはいずれも，該当色のトナー像を形成して中間転写ベルト３０上に転写するためのものである。画像形成部１０Ｙ，１０Ｍ，１０Ｃ，１０Ｋはいずれも，その構成は同じである。このため，図１では，画像形成部１０Ｙによって代表して符号をつけている。
【００２６】
画像形成部１０Ｙ，１０Ｍ，１０Ｃ，１０Ｋは，円筒状の静電潜像担持体である感光体１１，および，その周囲に配置された帯電器１２，現像装置１４，および感光体クリーナー１６を有している。また，感光体１１と中間転写ベルト３０を挟んで対向する位置には，１次転写ローラー１５が配置されている。さらに，各色の画像形成部１０Ｙ，１０Ｍ，１０Ｃ，１０Ｋの図１中下方には，露光装置１３が配置されている。帯電器１２は，感光体１１の表面を均一に帯電させるためのものである。露光装置１３は，画像データに基づいたレーザー光を各感光体１１の表面に照射させ，静電潜像を形成するためのものである。現像装置１４は，収容しているトナーを感光体１１の表面に付与するためのものである。
【００２７】
１次転写ローラー１５は，中間転写ベルト３０へ向けて軸と垂直の方向（図１中下向き）に圧接されている。この圧接により，中間転写ベルト３０と各感光体１１とが接触している部分にはそれぞれ，各色の感光体１１上のトナー像を中間転写ベルト３０上に転写させる１次転写ニップが形成されている。感光体クリーナー１６は，感光体１１上から中間転写ベルト３０上に転写されなかったトナーを回収するためのものである。
【００２８】
なお，図１では，帯電器１２としてローラー形状をしたローラー帯電方式のものを示しているが，本発明はこれに限るものではない。コロナ放電方式の帯電チャージャー，ブレード状の帯電部材，またはブラシ状の帯電部材等を用いても良い。また，感光体クリーナー１６として，板状でその一端部が感光体１１の外周面に接触しているものを示しているが，本発明はこれに限るものではない。その他のクリーニング部材，例えば固定ブラシ，回転ブラシ，ローラーまたはそれらのうちの複数の部材を組み合わせたものを使用することができる。あるいは，感光体１１上の未転写トナーを現像装置１４により回収するクリーナーレス方式を採用すれば，感光体クリーナー１６はなくてもよい。
【００２９】
また，中間転写ベルト３０の図１中上方には，各色のトナーを収容したホッパー１７Ｙ，１７Ｍ，１７Ｃ，１７Ｋが配置されている。これらに収容されている各色のトナーはそれぞれ，該当色の現像装置１４へと適宜補給される。
【００３０】
中間転写ベルト３０の回転方向における画像形成部１０Ｋの下流側であって転写ニップＮ１の上流側の位置には，中間転写ベルト３０上に転写されたトナー像の像濃度を検出するための濃度センサー２０が設けられている。濃度センサー２０は，中間転写ベルト３０の外周面を検出位置としている。濃度センサー２０は，例えば画像濃度の調整に用いられる，検出位置に向かって光を照射する投光部とその反射光を受光する受光部とを有するものである。
【００３１】
画像形成装置１の下部には，着脱可能な給紙カセット５１が装着されている。給紙カセット５１の図１中右側より上方に向かっては，搬送経路５０が設けられている。そして，給紙カセット５１に積載により収容された用紙Ｐは，その最上部のものより１枚ずつ給紙ローラー５２によって搬送経路５０に送り出されるようになっている。また，本形態の画像形成装置１は，紙種入力部５６を有している。紙種入力部５６は，ユーザーが，給紙カセット５１に収容されている用紙Ｐの種類を入力するためのものである。
【００３２】
また，給紙ローラー５２により送り出された用紙Ｐの搬送経路５０には，１対のレジストローラー５３，転写ニップＮ１，定着装置６０，排紙ローラー５４がこの順で配置されている。搬送経路５０のさらに下流側である画像形成装置１の上面には，排紙部５５が設けられている。レジストローラー５３は，用紙Ｐを転写ニップＮ１へ送り出すタイミングを調整するためのものである。定着装置６０は，定着ニップＮ２において用紙Ｐを加熱しつつ加圧することにより，用紙Ｐに転写されたトナー像の定着処理を行うためのものである。
【００３３】
次に，本形態の画像形成装置１による，通常の画像形成動作の一例について簡単に説明する。以下の説明は，給紙カセット５１に収容されている用紙Ｐに，４色のトナーを用いてカラー画像を形成する場合における画像形成動作の一例である。
【００３４】
カラー画像の形成時には，まず，中間転写ベルト３０および各色の感光体１１はそれぞれ，図１に矢印で示す向きに所定の周速度で回転される。そして，感光体１１の外周面は，帯電器１２によりほぼ一様に帯電される。帯電された感光体１１の外周面には，露光装置１３によって画像データに応じた光が投射され，静電潜像が形成される。続いて，静電潜像は現像装置１４によって現像され，感光体１１上にはトナー像が形成される。
【００３５】
各感光体１１上に形成されたトナー像は，１次転写ローラー１５によって中間転写ベルト３０上に転写（１次転写）される。これにより，中間転写ベルト３０上には，イエロー，マゼンタ，シアン，ブラックのトナー像がこの順で重ね合わされる。そして，重ね合わされた４色のトナー像は，中間転写ベルト３０の回転によって転写ニップＮ１に搬送される。また，中間転写ベルト３０に転写されず，１次転写ローラー１５を過ぎた後も感光体１１上に残留している転写残トナーは，感光体クリーナー１６によって掻き取られ，感光体１１上から除去される。
【００３６】
一方，給紙カセット５１に収容されている用紙Ｐは，最上部のものから１枚ずつ搬送経路５０に引き出される。引き出された用紙Ｐは，搬送経路５０に沿って転写ニップＮ１に搬送される。用紙Ｐの転写ニップＮ１への突入タイミングは，中間転写ベルト３０上のトナー像の転写ニップＮ１への突入タイミングと一致するように，レジストローラー５３によって調整される。これにより，転写ニップＮ１において，重ね合わされた４色のトナー像が用紙Ｐに転写（２次転写）される。
【００３７】
トナー像が転写された用紙Ｐは，さらに搬送経路５０の下流側へと搬送される。つまり，用紙Ｐは，定着装置６０によってトナー像が定着された後，排紙ローラー５４によって排紙部５５に排出される。なお，転写ニップＮ１を通過した後も中間転写ベルト３０上に残留する転写残トナーは，回収領域４２においてベルトクリーナー４１によって回収される。これにより，中間転写ベルト３０上から除去される。
【００３８】
図２に，画像形成装置１の制御構成の概略を示す。画像形成装置１は，各部の制御を行うために，エンジン部２とコントローラー部３とを有している。エンジン部２は，全体の制御処理を行うＣＰＵ４と，本体に付属されている不揮発性メモリ５とを有している。
【００３９】
不揮発性メモリ５には，画像形成装置１の画像形成などを行うための各種の値が記憶されている。例えば，給紙カセット５１から定着ニップＮ２までの搬送経路５０上の距離，用紙Ｐや形成されたトナー像を搬送する速度であるシステム速度など，設計上既知の値が記憶されている。また，定着装置６０による定着処理により，トナー像が用紙Ｐに適切に定着させることのできる定着処理温度なども記憶されている。
【００４０】
ＣＰＵ４は，不揮発性メモリ５に記憶されている値に基づいて，画像形成装置１の各部を制御する。例えば，各露光装置１３による静電潜像の形成開始のタイミングを調整することにより，中間転写ベルト３０上にズレのないカラートナー像を形成する。また画像形成部１０Ｙ，１０Ｍ，１０Ｃ，１０Ｋにより画像を形成するタイミングと，給紙カセット５１から用紙Ｐを給紙するタイミングとを調整することにより，これらの転写ニップＮ１への突入タイミングが合うように制御する。
【００４１】
また，本形態のＣＰＵ４は，定着ヒーター制御部８およびバイメタルヒーター制御部９を有している。定着ヒーター制御部８およびバイメタルヒーター制御部９は，定着装置６０によって適切に定着処理がなされるように，定着装置６０を制御するためのものである。これら，定着ヒーター制御部８およびバイメタルヒーター制御部９については，後に詳述する。
【００４２】
またエンジン部２は，画像形成装置１に含まれている各種ユニット６を制御するとともに，各種ユニット付属の不揮発性メモリ７の書き込みや読み出しを行う。各種ユニット６には例えば，イメージングユニットが含まれる。そして，各種ユニット付属の不揮発性メモリ７について，例えばイメージングユニットに付属のメモリには，そのイメージングユニットにより画像形成がなされた枚数などが記憶されている。
【００４３】
コントローラー部３は，外部のパソコンなどに接続されて指示入力を受けるものである。例えば，画像形成指令をパソコンから受信することにより，画像形成装置１には画像形成ジョブが発生する。さらに，エンジン部２とコントローラー部３とで，ドットカウンタ値などの各種の情報がやりとりされる。
【００４４】
次に，本形態の定着装置６０について説明する。図３は，画像形成装置１の定着装置６０の概略構成を示す断面図である。定着装置６０は，加圧ローラー６１，定着パッド６２，定着ベルト６３，定着ヒーター６４を有している。定着パッド６２および加圧ローラー６１はともに，図３において奥行き方向に長い部材であり，互いに平行に配置されている。
【００４５】
定着パッド６２，定着ベルト６３，定着ヒーター６４は，定着ニップＮ２を通過する用紙Ｐのトナー像を坦持している面の側に配置されている。そして，定着パッド６２，定着ベルト６３，定着ヒーター６４は，定着ニップＮ２を通過する用紙Ｐを加熱するための加熱側の構成である。
【００４６】
一方，加熱側の構成と搬送経路５０を挟んで対向する加圧側の加圧ローラー６１は，定着ベルト６３へ向けて軸と垂直の方向に圧接されている。これにより，無端状の定着ベルト６３は，定着パッド６２と加圧ローラー６１との間に挟み込まれている。そして，定着ベルト６３と加圧ローラー６１との圧接箇所には，用紙Ｐに定着処理を行う定着ニップＮ２が形成されている。
【００４７】
また，加圧ローラー６１は，定着処理が行われる際には，図３に矢印で示す向きに回転駆動される。これにより，定着ベルト６３についても，定着処理時に回転する加圧ローラー６１の圧接による摩擦力によって従動回転する。
【００４８】
定着ヒーター６４は，定着ベルト６３の内周側に配置されており，定着ベルト６３を加熱するためのものである。なお，定着ヒーター６４と定着ニップＮ２との間には，反射板６５が設けられている。反射板６５は，定着ヒーター６４により，定着ニップＮ２の箇所が直接，加熱されることを抑制するためのものである。
【００４９】
つまり，本形態の定着装置６０において，定着ベルト６３の定着ニップＮ２付近以外の図３において左側の部分は，定着ヒーター６４と対面している。よって，定着ベルト６３の定着ニップＮ２付近以外の部分は，定着ヒーター６４により直接，加熱される。このため，本形態の定着装置６０は，ウォーミングアップ時間や，定着処理温度までの温度上昇の時間が短い構成のものである。
【００５０】
また，図３に示すように，本形態の定着装置６０は，温度センサー６６を有している。温度センサー６６は，例えば非接触の赤外線センサーなどであり，定着ベルト６３の表面温度を検出して出力することができるものである。
【００５１】
さらに，本形態の定着装置６０は，図３に示すように，通電遮断部７０を有している。通電遮断部７０は，定着ベルト６３と間隔を設けつつ，その近傍に設けられている。すなわち，通電遮断部７０が定着ベルト６３に非接触であることにより，定着ベルト６３の表面に傷などが付いてしまうことはない。また，通電遮断部７０は，その温度が作動温度以上となったときに，定着ヒーター６４への電力の供給を遮断することのできるものである。なお，通電遮断部７０については，次の図４において詳述する。
【００５２】
図４に，本形態の定着装置６０の制御構成の概略を示す。前述したように，ＣＰＵ４は，定着ヒーター制御部８およびバイメタルヒーター制御部９を有している。また，図４には，定着装置６０の構成のうち，定着ベルト６３，定着ヒーター６４，温度センサー６６，通電遮断部７０を示している。さらに，図４には，定着ヒーター６４に電力を供給するための電源である定着ヒーター電源６７を示している。
【００５３】
定着ヒーター制御部８は，定着処理時において，温度センサー６６により検出される定着ベルト６３の温度が，予め定めた定着処理温度となるように，定着ヒーター電源６７を制御する。すなわち，定着ヒーター制御部８は，定着処理時には，定着ヒーター電源６７から定着ヒーター６４に供給される電力を制御することにより，定着ベルト６３の温度を定着処理温度に維持することができる。
【００５４】
例えば，本形態の定着ヒーター制御部８は，定着ヒーター電源６７より定着ヒーター６４に電力の供給を開始させる加熱開始時刻の決定を行う。加熱開始時刻は，定着ニップＮ２における定着ベルト６３の温度が定着ヒーター６４の加熱により定着処理温度まで上昇する定着上昇時間によりに決定することができる。すなわち，加熱開始時刻は，給紙カセット５１から送り出された用紙Ｐが定着ニップＮ２に到達する時刻よりも定着上昇時間以上前のタイミングに決定することができる。定着上昇時間は，例えば，予め実験行うことなどにより取得した時間を，本体に付属されている不揮発性メモリ５に記憶させておき，その記憶させている値を用いることができる。よって，定着ヒーター制御部８は，画像形成装置１に入力された画像形成のジョブにより，加熱開始時刻を決定することができる。
【００５５】
また，図４に示すように，本形態の通電遮断部７０は，バイメタル７１，接点部７２，バイメタルヒーター７３を有している。バイメタル７１は，通電遮断部７０の作動温度未満と，通電遮断部７０の作動温度以上とでは，形状が異なるものである。すなわち，バイメタル７１は，作動温度未満から作動温度以上に加熱されたときに変形し，作動温度以上から作動温度未満に冷却されたときには元の形状に戻る特性のものである。なお，バイメタル７１が変形する作動温度は，定着処理温度よりも高い温度である。
【００５６】
通電遮断部７０の接点部７２は，定着ヒーター電源６７と定着ヒーター６４とが接続されている回路の途中に設けられている。接点部７２は，図４に実線で示す通電位置と，二点鎖線で示す遮断位置とをとることのできるものである。具体的には，接点部７２は，通電位置では，定着ヒーター電源６７が定着ヒーター６４に電力を供給することができる状態とする。
【００５７】
一方，接点部７２は，遮断位置では，定着ヒーター電源６７により定着ヒーター６４に電力が供給されない状態とすることができる。そして，接点部７２は，バイメタル７１の温度が作動温度未満であるときには通電位置をとり，バイメタル７１の温度が作動温度以上となって変形したときに，そのバイメタル７１の変形によって遮断位置をとるように構成されている。すなわち，本形態の通電遮断部７０は，バイメタル７１の変形による機械式のサーモスタットである。
【００５８】
そして，本形態の通電遮断部７０は，作動温度未満であるときには，定着ヒーター６４を，加熱を行うことができる加熱可能状態とする。一方，通電遮断部７０は，バイメタル７１が作動温度以上であるときには作動し，定着ヒーター６４を，加熱を行うことができない加熱不能状態とする。
【００５９】
また，通電遮断部７０は，バイメタル７１を定着ベルト６３に向けて設けられている。このため，通電遮断部７０は，定着ベルト６３が定着ヒーター６４によって作動温度以上の温度にまで加熱される定着ヒーター６４の過熱が生じたときに作動し，定着ヒーター６４を加熱不能状態とすることができる。
【００６０】
本形態の通電遮断部７０に設けられているバイメタルヒーター７３は，バイメタルヒーター制御部９の制御により，発熱することができる。また，バイメタルヒーター７３は，バイメタルヒーター７３とバイメタル７１との距離が，定着ヒーター６４とバイメタル７１との距離よりも短い距離となる位置に設けられている。つまり，バイメタルヒーター７３は，バイメタル７１の近傍に設けられているバイメタル７１を加熱するためのヒーターである。
【００６１】
また，バイメタルヒーター７３は，バイメタル７１の加熱を行うためのものである。具体的に，バイメタルヒーター７３は，発熱時には，バイメタル７１を作動温度未満の温度に加熱することができるものである。さらに，本形態のバイメタルヒーター７３は，バイメタル７１を定着処理温度未満の温度で加熱するものである。
【００６２】
本形態では，バイメタルヒーター７３として，電力の供給により発熱する抵抗発熱体を使用している。このため，バイメタルヒーター７３に電力を供給する電源を有している。バイメタルヒーター７３の電源としては，定着ヒーター電源６７を用いてもよい。あるいは，定着ヒーター６４とは別の電源を使用することもできる。
【００６３】
また，本形態のバイメタルヒーター７３は，温度が上昇するほど，抵抗値が上昇するものである。さらに，本形態のバイメタルヒーター７３は，上限温度に到達すると，抵抗値の上昇により，それ以上，温度が上昇しない特性を有するものである。そして，本形態では，バイメタルヒーター７３の上限温度は，作動温度未満の温度とされている。このため，通電遮断部７０は，バイメタルヒーター７３のみの加熱により作動し，定着ヒーター６４を加熱不能状態とすることはない。
【００６４】
ここで，定着ヒーター６４の過熱が生じてしまった場合には，定着ヒーター６４を速やかに加熱不能状態にすることが好ましい。定着ヒーター６４の過熱が生じている場合，定着ヒーター６４が，定着ヒーター制御部８によって適切に制御されていないおそれがあるからである。さらに，定着装置６０は，前述したように，短時間で定着ベルト６３の温度を上昇させることのできる仕様のものである。このため，本形態では，定着ヒーター６４による過熱が生じた場合，より早期に定着ヒーター６４による加熱を停止することが好ましい。
【００６５】
また，定着ヒーター６４の発熱による熱は，定着ベルト６３を介してバイメタル７１へ移動する。また，本形態においては，バイメタル７１は，定着ベルト６３との間に隙間を設けて配置されている。このため，定着ヒーター６４の加熱によるバイメタル７１の温度の上昇率は，定着ヒーター６４の温度の上昇率よりも低いものである。
【００６６】
このため，バイメタル７１の温度が低い場合には，定着ヒーター６４の過熱が生じたときの，定着ヒーター６４の温度が作動温度に到達してからバイメタル７１の温度が作動温度に到達するまでの時間が，長くなってしまうおそれがある。そこで，本形態のバイメタルヒーター制御部９は，バイメタル７１の温度が低い場合には，バイメタルヒーター７３にバイメタル７１の加熱を行わせる。
【００６７】
具体的には，本形態のバイメタルヒーター制御部９は，バイメタル７１の温度が予め定めた加熱実行温度未満の温度である場合には，バイメタルヒーター７３にバイメタル７１の加熱を行わせる。バイメタルヒーター７３による加熱を行うことにより，その間のバイメタル７１の温度の上昇率を高くすることができる。よって，バイメタル７１の温度が低い場合であっても，定着ヒーター６４の過熱が生じたときの，定着ヒーター６４の温度が作動温度に到達してからバイメタル７１の温度が作動温度に到達するまでの時間を短くすることができる。
【００６８】
一方で，バイメタル７１の温度がある程度，高い場合には，定着ヒーター６４の過熱が生じたときの，定着ヒーター６４の温度が作動温度に到達してからバイメタル７１の温度が作動温度に到達するまでの時間が短いものである。このため，本形態のバイメタルヒーター制御部９は，バイメタル７１の温度が高い場合には，バイメタルヒーター７３にバイメタル７１の加熱を行なわせない。
【００６９】
具体的には，本形態のバイメタルヒーター制御部９は，バイメタル７１の温度が予め定めた加熱実行温度以上の温度である場合には，バイメタルヒーター７３にバイメタル７１の加熱を行わせない。これにより，画像形成装置１における消費電力を低減することができる。
【００７０】
なお，本形態において，加熱実行温度は，バイメタルヒーター７３の加熱による上限温度未満の温度であることが好ましい。バイメタル７１の温度がバイメタルヒーター７３の上限温度以上である場合には，バイメタルヒーター７３によりバイメタル７１を加熱することによる効果が小さいからである。
【００７１】
すなわち，バイメタル７１の温度がバイメタルヒーター７３の上限温度以上である場合には，バイメタルヒーター７３による加熱を行ったとしても，バイメタル７１の温度の上昇率を，それほど高めることができないからである。そして，バイメタルヒーター７３による加熱を行わないことにより，消費電力の低減を優先させることができるからである。
【００７２】
なお，本形態のバイメタルヒーター７３の上限温度は，定着処理温度未満の温度とされている。バイメタルヒーター７３は，バイメタル７１の温度の上昇率を高めるための加熱を行うためのものであり，それほど高い温度での加熱が要求されるものではないからである。
【００７３】
また，本形態では，加熱実行温度と比較するバイメタル７１の温度として，温度センサー６６の出力値を用いることができる。温度センサー６６は，画像形成装置１のうち，最もバイメタル７１に近い位置に設けられている温度検出センサーである。よって，温度センサー６６の出力値を，バイメタル７１の温度を指標する値として用いることができるからである。
【００７４】
さらに，本形態のバイメタルヒーター制御部９は，バイメタル７１の温度が低いことによりバイメタルヒーター７３による加熱を開始した後に，バイメタル７１の温度が高くなったときには，バイメタルヒーター７３による加熱を終了する。バイメタル７１の温度が高くなった場合には，バイメタルヒーター７３による加熱を行うことの効果が小さいからである。そして，バイメタルヒーター７３による加熱を終了することにより，消費電力を低減することができるからである。
【００７５】
具体的には，本形態のバイメタルヒーター制御部９は，バイメタルヒーター７３による加熱を開始後，バイメタル７１の温度が予め定めた加熱終了温度以上の温度となったときに，バイメタルヒーター７３による加熱を終了する。なお，加熱終了温度は，加熱実行温度以上の値に予め定められている。また，加熱終了温度についても，バイメタルヒーター７３の加熱による上限温度未満の温度であることが好ましい。バイメタル７１の温度がバイメタルヒーター７３の上限温度以上である場合には，バイメタルヒーター７３によりバイメタル７１を加熱することによる効果が小さいからである。
【００７６】
次に，本形態のバイメタルヒーター制御部９による，バイメタルヒーター７３の加熱を行うか否かの判定手順について，図５に示すフローチャートを用いて説明する。バイメタルヒーター制御部９は，画像形成装置１に画像形成のジョブが入力されると，まず，バイメタル７１の温度と加熱実行温度との比較を行う（Ｓ１０１）。ここでの比較に用いるバイメタル７１の温度は，本形態では前述したように，温度センサー６６による出力値である。このため，温度センサー６６は，ステップＳ１０１が行われる前に，温度を検出し，その検出値をバイメタルヒーター制御部９に出力している。
【００７７】
そして，バイメタル７１の温度が加熱実行温度未満である場合（Ｓ１０１：ＹＥＳ），バイメタルヒーター７３によるバイメタル７１の加熱を開始する（Ｓ１０２）。続いて，定着ヒーター制御部８は，定着処理を行うため，定着ヒーター６４による定着ベルト６３の加熱を開始する（Ｓ１０３）。
【００７８】
本形態では，バイメタルヒーター７３による加熱の開始（Ｓ１０２）後に，定着ヒーター６４による加熱を開始している。加熱を開始した定着ヒーター６４には，過熱が生じるおそれがある。よって，定着ヒーター６４による加熱が開始される以前に，バイメタルヒーター７３による加熱を開始しておくことが好ましいからである。なお，バイメタルヒーター７３による加熱は，定着ヒーター６４による加熱を開始後に開始することも可能である。
【００７９】
次に，バイメタルヒーター７３および定着ヒーター６４による加熱をそれぞれ行いつつ，バイメタル７１の温度と加熱終了温度との比較を行う（Ｓ１０４）。ここで比較に用いるバイメタル７１の温度についても，温度センサー６６による出力値である。このため，本形態の温度センサー６６は，バイメタルヒーター７３が加熱を開始した後にも，温度を検出し，その検出値をバイメタルヒーター制御部９に出力している。
【００８０】
そして，バイメタル７１の温度が加熱終了温度以上の温度となったとき（Ｓ１０４：ＹＥＳ），バイメタルヒーター７３による加熱を終了する（Ｓ１０５）。
【００８１】
一方，ステップＳ１０１において，バイメタル７１の温度が加熱実行温度以上であった場合（Ｓ１０１：ＮＯ），バイメタルヒーター７３によるバイメタル７１の加熱を行わずに，定着ヒーター６４による加熱のみを開始する（Ｓ１０６）。なお，図５のフローチャートに示す手順は，画像形成装置１に入力された画像形成のジョブが完了したとき終了する。
【００８２】
そして，図５により説明したように，本形態の画像形成装置１では，バイメタル７１の温度が低い場合には，バイメタルヒーター７３による加熱を行う。これにより，バイメタル７１の温度が低い状態で定着ヒーター６４の過熱が生じたときにも，定着ヒーター６４による加熱を速やかに停止させることができる。
【００８３】
また，本形態の画像形成装置１では，バイメタル７１の温度が高い場合には，バイメタルヒーター７３による加熱を行わない。このため，バイメタル７１の温度が高い場合には，画像形成装置１における消費電力を低減することができる。さらに，バイメタル７１の温度が高い場合には，バイメタルヒーター７３による加熱を行わずとも，定着ヒーター６４の加熱が生じたときに，定着ヒーター６４による加熱を速やかに停止させることができる。
【００８４】
また上記においては，バイメタル７１の温度として，温度センサー６６の出力値を用いている。しかし，バイメタル７１の温度として，温度センサー６６の出力値以外を用いることもできる。例えば，バイメタル７１までの距離が温度センサー６６よりも近い位置に温度検出センサーを設け，その温度検出センサーの検出値をバイメタル７１の温度として用いることもできる。
【００８５】
あるいは，バイメタル７１の温度の検出には，バイメタルヒーター７３として温度により抵抗値の異なるものを用い，その抵抗値を用いることもできる。すなわち，まず，バイメタルヒーター７３の抵抗値と温度との関係を予め実験などにより取得しておき，その関係を本体に付属されている不揮発性メモリ５に記憶させておく。そして，バイメタルヒーター７３に電流を流しつつ，その間の抵抗値を検出し，その検出された抵抗値により不揮発性メモリ５を参照することで，バイメタルヒーター７３の温度を定めることができる。また，バイメタルヒーター７３は，バイメタル７１に近い位置に配置されている。よって，抵抗値より定めたバイメタルヒーター７３の温度を，バイメタル７１の温度として用いることができる。この場合には，例えば，バイメタルヒーター７３に流れた電流値を検出する電流検出部を設けておき，バイメタルヒーター７３に電流を流したときの電圧値と，電流検出部により検出された電流値により，バイメタルヒーター７３の抵抗値を検出することができる。また，電圧値が一定である場合には，不揮発性メモリ５に電流値と温度との関係を記憶させておき，検出された電流値により不揮発性メモリ５を参照することで，バイメタルヒーター７３の温度を定めることもできる。
【００８６】
また，バイメタル７１の温度は，前回の定着処理時に定着ヒーター６４による加熱が行われていた前回加熱時間，および，前回の定着処理が終了してから今回の定着処理が開始されるまでの休止時間により推定することも可能である。
【００８７】
前回の定着処理時における定着ヒーター６４の前回加熱時間が長かった場合，バイメタル７１の温度は十分に上昇していたと考えられる。さらに，前回加熱時間が長く，今回の定着処理が開始されるまでの休止時間が短かった場合には，前回の定着処理時に十分に上昇したバイメタル７１の温度が，それほど低下していないと推定できるからである。一方，前回加熱時間が短かった場合には，バイメタル７１の温度はそれほど上昇していないと考えられる。また，休止時間が長かった場合には，今回の定着処理の開始時までに，バイメタル７１の温度は低下してしまっていると考えられる。
【００８８】
よって，前回加熱時間が長く，かつ，休止時間が短かった場合には，今回の定着処理の開始時において，バイメタルヒーター７３の温度は加熱実行温度以上であると推定することができる。よって，前回加熱時間が前回加熱時間について予め定めた閾値よりも長く，かつ，休止時間が休止時間について予め定めた閾値よりも短い場合には，バイメタルヒーター７３による加熱を実行させないと判定することができる。これに対し，前回加熱時間が短かった場合，または，休止時間が長かった場合には，バイメタルヒーター７３による加熱を実行すると判定することができる。
【００８９】
そして，前回加熱時間および休止時間によりバイメタルヒーター７３による加熱の実行の有無を判定する場合には，前回加熱時間および休止時間を出力する出力部を設けておけばよい。また，前回加熱時間が前回加熱時間についての閾値よりも長く，かつ，休止時間が休止時間についての閾値よりも短い場合には，バイメタルヒーター制御部９に，バイメタル７１の温度が加熱実行温度以上であることを出力する温度出力部を設けておけばよい。例えば，温度出力部は，前回加熱時間が長く，かつ，休止時間が短い場合には，バイメタル７１の温度として加熱実行温度以上の温度を出力すればよい。
【００９０】
また，温度出力部には，バイメタル７１の温度が加熱実行温度以上であることを出力しない場合には，バイメタル７１の温度が加熱実行温度未満であることを出力させればよい。なお，前回加熱時間についての閾値および休止時間についての閾値は，予め実験を行うことなどにより取得することができ，その取得した値を本体に付属されている不揮発性メモリ５に記憶させておけばよい。そして，前回加熱時間および休止時間により，図５のフローチャートにおけるステップＳ１０１の判断を行えばよい。
【００９１】
さらに，バイメタル７１の温度は，前回加熱時間として，前回の定着処理時にバイメタルヒーター７３による加熱が行われていた時間を用いて推定することもできる。この場合にも，前回加熱時間として前回の定着処理時に定着ヒーター６４による加熱が行われていた時間を用いる上記の場合と同様である。
【００９２】
以上詳細に説明したように，本形態の画像形成装置１は，定着装置６０を有している。定着装置６０は，定着処理時に定着ベルト６３を加熱する加熱源である定着ヒーター６４と，通電遮断部７０とを有している。通電遮断部７０は，バイメタル７１，接点部７２，バイメタルヒーター７３を有している。接点部７２は，感熱部であるバイメタル７１の温度が作動温度以上になったときには，定着ヒーター６４への電力供給を遮断することができる。また，バイメタルヒーター７３は，バイメタル７１の温度が低い場合に，バイメタル７１を加熱することができるものである。一方，バイメタル７１の温度が高い場合には，バイメタルヒーター７３は加熱を行わない。これにより，加熱源の温度が作動温度まで上昇したときに，加熱源による加熱を速やかに停止させることができるとともに，消費電力が低減された画像形成装置が実現されている。
【００９３】
なお，本実施の形態は単なる例示にすぎず，本発明を何ら限定するものではない。従って本発明は当然に，その要旨を逸脱しない範囲内で種々の改良，変形が可能である。例えば，本発明はカラープリンターに限らず，例えば，公衆回線経由で印刷ジョブの送受信を行うような画像形成装置にも適用可能である。
【００９４】
また例えば，画像形成装置１の定着装置は，上記で説明した定着装置６０と異なる構成のものであってもよい。つまり，電磁誘導加熱方式の定着装置など，その他の構成の定着装置においても本発明を適用することができる。また例えば，通電遮断部７０としては，バイメタル式以外のサーモスタットを用いることもできる。
【符号の説明】
【００９５】
１  画像形成装置
１０Ｙ，１０Ｍ，１０Ｃ，１０Ｋ  画像形成部
８  定着ヒーター制御部
９  バイメタルヒーター制御部
６０  定着装置
６１  加圧ローラー
６２  定着パッド
６３  定着ベルト
６４  定着ヒーター
７０  通電遮断部
７１  バイメタル
７２  接点部
７３  バイメタルヒーター
Ｎ２  定着ニップ
Ｐ  用紙
【図１】
2016197166.tif 000003
【図２】
2016197166.tif 000004
【図３】
2016197166.tif 000005
【図４】
2016197166.tif 000006
【図５】
2016197166.tif 000007